(57)【要約】【課題】  生徒の学習意欲を高め、効果的に学力をアップし、なおかつ紛失等の事故が起こらないと共にコンパクトに収容が可能な学習用用紙を提供する。【解決手段】  問題欄６、正解欄（解答の見本７や問題の解説８等）及び解答欄９が記載されている各葉片の内、正解欄が記載されている葉片同士を接着剤Ｇや疑似接着手段を介して封緘する。開封後は爪ｔにより開封縁辺に引っかけて固定する。【選択図】  図２
2005041196.tif 000002
【特許請求の範囲】
【請求項１】
少なくとも問題欄と正解欄及び解答欄が記載されると共に複数の葉片に区分された用紙を折り畳み、任意の対向面同士を封緘した折り畳み学習用用紙において、少なくとも前記正解欄が前記封緘された対向面の内面に隠蔽状態で記載されており、前記封緘部分を開封した後に元の折り態様にするための仮止め手段を備えたことを特徴とした学習用用紙。
【請求項２】
少なくとも問題欄と正解欄及び解答欄が記載された複数の葉片同士を対向させ、任意の対向面同士を封緘した学習用用紙において、少なくとも前記正解欄が前記封緘された対向面の内面に隠蔽状態で記載されており、前記封緘部分を開封した後に元の折り態様にするための仮止め手段を備えたことを特徴とした学習用用紙。
【請求項３】
少なくとも問題欄と解答欄が表出するように断面Ｚ字状に折り畳んだことを特徴とした請求項１記載の学習用用紙。
【請求項４】
請求項１乃至３の学習用用紙が冊子に組み込まれているいることを特徴とした学習用用紙を組み込んだ冊子。
【発明の詳細な説明】
【発明の詳細な説明】
【技術分野】
【０００１】  本発明は各種学校や塾等で使用されている学習用用紙に関する。
【背景技術】
【０００２】  従来各種学校や塾等で行われる試験は問題用紙と解答用紙が別々であり、生徒達は問題の解答を解答用紙に記入し、問題用紙は手元に置いたまま解答用紙のみを提出していた。そしてその後に解答の見本や問題の解説等を配布してもらい、自分の解答の正誤を確認していた。
また問題欄、解答欄及び正解欄が各々１枚の用紙に記載された学習用用紙等を使用して個人で学習していた。
【発明が解決しようとする課題】
【０００３】  従来の方法では問題用紙、正解用紙及び解答用紙が別々のため、誤って何れかを紛失してしまうと自分の解答の正誤等を確認することができなくなる。
また問題欄、正解欄及び解答欄が１枚の用紙に全て記載された学習用用紙の場合、解答を確認することが可能なため使用者の意志に任せるしかなく、そのため効果的に学力を向上させることが困難であった。
教える側としては生徒の学習意欲を高め、効果的に学力をアップし、なおかつ紛失等の事故がない学習用用紙を使用したいところである。
そこで本発明者は上記問題を解決するために、特願２００２−３８３６３６号及び特願２００３−４８２２４号に記載された「学習用用紙及び学習用用紙を組み込んだ冊子」を提案した。これら発明は、一枚の用紙からなり正解欄等に相当する部分を隠蔽状態に折り畳むことにより形成された学習用用紙であるが、この構成により上記問題は解消される。
しかし新たな問題が発生した。それは前記学習用用紙を使用した後に、ファイリングや取扱に非常に支障をきたすことが分かったのである。それは一旦開封された正解欄等は容易に再接着することができないため、ファイリングの際にその部分がばらけて飛び出したりはみ出したりして収まり非常にが悪くなるのである。
特に開封前の大きさをＡ４判やＢ５判等の規定の大きさに設定してある場合、開封後の用紙は広げた状態にすると規定の大きさの市販のファイリング材から完全にはみ出してしまう。さらに、飛び出したりはみ出した用紙が嵩張るため、ファイリング材の本棚等への収容までもを困難にしてしまう。
本発明は、上記問題に鑑み、その斬新なデザインや使用方法により生徒の学習意欲を高めると共に効果的に学力をアップすることができ、なおかつ紛失等の事故がなく使用後においてもファイリングや取扱に便利な学習用用紙を提供するものである。
【課題を解決するための手段】
【０００４】  上記課題を解決するために本発明の学習用用紙は、少なくとも問題欄と正解欄及び解答欄が記載されると共に複数の葉片に区分された用紙を折り畳み、任意の対向面同士を封緘した折り畳み学習用用紙において、少なくとも前記正解欄が前記封緘された対向面の内面に隠蔽状態で記載されており、前記封緘部分を開封した後に元の折り態様にするための仮止め手段を備えたことを特徴としている。
さらに本発明における学習用用紙の別な態様は、少なくとも問題欄と正解欄及び解答欄が記載された複数の葉片同士を対向させ、任意の対向面同士を封緘した学習用用紙において、少なくとも前記正解欄が前記封緘された対向面の内面に隠蔽状態で記載されており、前記封緘部分を開封した後に元の折り態様にするための仮止め手段を備えたことを特徴としている。
【０００５】  本発明の学習用用紙は、１枚の用紙に問題欄、正解欄、解答欄、解説欄等が記載されている。にもかかわらず学習者が学習中に封緘、隠蔽された正解や解説等を確認することができず、解答後に開封して解答や解説等を確認できると共にファイリングや取扱においても極めて至便であるという特徴を有している。
前記封緘手段は、公知の接着剤（粘着剤、感熱性接着剤、感圧性接着剤、感湿性接着剤等を含む）を公知の態様（液体状、個体状等）で使用することができる。なおここでいう封緘とは後述する疑似接着手段と異なり、無理矢理剥がそうとすると紙材を破壊しなければならないような接着状態、若しくは塗布されている接着剤を破壊しなければならないような状態、又は前記両者が混合して現れる状態を指す。このような状態であっても、例えば接着剤に各種添加剤を添加したり、各種パターン形状（例えば点状や帯状等）で塗布することにより接着面積を調整したり、さらに接着条件（例えば接着温度や加圧圧力等）の調整等により剥離力を加減すれば、重要な情報記載部分を破壊して読めなくしてしまうことはない。
【０００６】  前記公知の接着剤は、本発明の学習用用紙に形成されている任意の対向面同士（正解等が内面に隠蔽されている）が、不用意に開封することがないように好ましくは周囲部分に塗布されている。そのため学習者は学習中に故意に開封しなければ内部の解答を確認することができない。
そのため例えば折り線を介して折り畳まれた場合の対向面には、折り線部分以外に３辺の開封辺を有する。この３辺に沿って帯状に接着剤を塗布し剥離不能に封緘状態にしてしまえばよいのである。仮に別体の用紙を重ね合わせたときには、４辺が開封辺になるため、この４辺を封緘すればよい。
【０００７】  開封部分に設けられる接着剤の塗布パターンに制限はない。
既述のように例えば帯状に塗布しておいてもよく、その場合剥離が容易になるように分割された帯状でも構わない。また要所要所に点状に分散して塗布し、開封時に紙面や接着剤の破壊が最小限にするようにすることもできる。さらに対向する面の両面に塗布しても、あるいは片面のみに塗布しても構わない。
要は開封部分の隙間から解答等を覗き込むことができず且つ紙材の破壊をできるだけ少なくするようなパターンであれば何でも採用することができる。
なお、紙材の破壊を極力避けたいのであれば接着剤に対する剥離性が強い塗工紙を使用したり、接着剤を塗布する紙材表面にベタ印刷やパターンによる印刷を施しておいてもよい（印刷インクに接着剤の接着性を疎外する作用がある）。
さらに開封部分全周に渡り完全に接着してしまい、その内側に切り取りミシンを設けたり、はさみやカッター等で切り落として開封するようにしておけばさらに隠蔽性、機密性が向上する。
【０００８】  本発明の学習用用紙において上記接着剤による封緘手段の他に対向面同士を剥離可能に接着（以下疑似接着という）する疑似接着手段が採用できる。
例えば透明な支持体に熱可塑性樹脂を溶融押出しや塗工により剥離可能に積層し、さらにその両外側に感熱接着剤層を形成した疑似接着シートを好適に使用することができる。そのようにしてできた疑似接着シートを疑似接着予定の対向面間に挟み込み、全体を加熱・加圧して対向面の内面と疑似接着シートを接着することにより対向面同士を剥離可能に疑似接着するのである。
また、同様にシートを使用する方法として、例えば透明な支持体に疑似接着層（必ずしも必要ではない）を形成した疑似接着シートを予め疑似接着予定面にラミネートし、折り合わせることにより疑似接着層同士を対向させ、加熱・加圧することにより対向面同士を疑似接着することもできる。
なお、これら疑似接着シートの構成に制限はなく、形成される層の数や形成方法及び材質等の選択は各種条件等に合わせて適宜行えばよい。
【０００９】  また公知の易剥離性の接着剤からなる疑似接着媒体の他に業界で圧着紙、後糊方式、ニス引き方式等と称される天然ゴ厶や合成ゴムを主成分とした疑似接着性の感圧性接着剤やＵＶ系の疑似接着性のニスからなる疑似接着媒体等を、前記疑似接着シートと同様に疑似接着予定面の必要部分（例えば既述の接着剤の場合と同様に開封口になる用紙の周囲部分に帯状に塗布する）や全面に塗布し加圧処理を施したり、または加熱・加圧処理を施すことにより疑似接着してもよい。
【００１０】  さらに、熱可塑性樹脂を紙繊維に混合したものも加圧又は加熱・加圧処理により疑似接着するため好適に使用することができる。
また例えば前記疑似接着手段を既述の接着剤と組み合わせ、開封部分に例えば帯状に接着剤を塗布しておきその内側の全面を疑似接着するようにレイアウトしても構わない。
なお、本学習用用紙に施される疑似接着手段の形成時期に制限はなく、全ての印刷に先立ち行われていてもよく、また印刷の前後に渡って行われても、さらに全ての印刷が完了した後に行われても構わない。
【００１１】  開封した学習用用紙を当初の折り畳まれた状態に復元して仮止めする最も単純な方法は、開封側縁辺の一部を対向する紙面に形成した切り込みに差し込み固定すればよい。しかしこの形態に制限されるわけではない。
これについては後述する実施例を参照されたい。
【００１２】  前記接着剤による封緘は、一旦剥離してしまうと復元ができないため高い隠蔽性や機密性を発揮する。
従って、例えば１枚の学習用用紙の３分の１を折り畳み、表出した面に問題欄や解答欄を設けると共に、折り畳まれた対向面内面に正解欄（例えば解答の見本や問題の解説等）を記載し封緘しておけば、解答終了まで勝手に開封して解答内容を確認することができない。
本発明は上記構成を備えることにより、解答終了後に解答欄の記載されている用紙を折り線から切り離し可能となり、解答提出後に問題欄、正解欄等が記載された１枚の用紙を持ち帰ることができる。さらに解答を切り離さず自習用として使用する場合には全ての欄が連続していることになり、従来細分化されていた各種用紙が１枚に集約されるため、各欄の一部を紛失するようなことは起こらないのである。
さらに開封した後に当初の折り畳み状態に復元されるためファイリングや収納及び取扱にも極めて至便である。
【００１３】  １枚の用紙の折り畳み形態に制限はない。例えば単純に折り返しを１個所にしてもよく、また断面Ｚ字状に折り畳み発生する２個所の対向面を封緘してもよい。さらにそれ以上の折りを含む形態も可能で前記断面Ｚ字状の折り形態の他にも巻き折りや蛇腹折り、観音開き折りやそれら折りの形態を混合して用いても構わない。
また折り畳みに限らず切り離された用紙を重ね合わせることにより構成することもでき、折り畳みや切り重ねが混在する構成でも構わない。
さらに１枚の用紙にこだわらず、例えば複数の問題が記載されている冊子の一部分に前記折返しを形成した頁を設けても構わず、そのような頁が複数に渡り綴じられていても構わない。
【発明を実施するための最良の形態】
【００１４】  本発明の実施の形態を以下の実施例に基づき図面を参照して説明する。
図１（Ａ）、（Ｂ）は２個所の折返しを有する学習用用紙の表面図と裏面図をそれぞれ表す。図２（Ａ）、（Ｂ）は図１の学習用用紙をわかりやすく説明する斜視図と側面図をそれぞれ表す。図３（Ａ）、（Ｂ）は断面Ｚ字状に折り畳まれた学習用用紙の表面図を表す。図４（Ａ）、（Ｂ）は図３の学習用用紙をわかりやすく説明する斜視図と側面図をそれぞれ表す。図５（Ａ）、（Ｂ）は断面Ｚ字状の別な態様の表面図と裏面図をそれぞれ表す。図６（Ａ）、（Ｂ）は図５の学習用用紙をわかりやすく説明する斜視図と側面図をそれぞれ表す。図７（Ａ）、（Ｂ）は断面Ｚ字状の更に別な態様の学習用用紙の表面図と裏面図をそれぞれ表す。図８（Ａ）、（Ｂ）は図７の学習用用紙をわかりやすく説明する斜視図と側面図をそれぞれ表す。図９（Ａ）、（Ｂ）、（Ｃ）は本発明の学習用用紙を冊子に組み込んた場合の斜視図と側面図をそれぞれ表す。図１０（Ａ）、（Ｂ）は本発明の仮止め手段の変形例の斜視図をそれぞれ表す。図１１は正解欄の解答の見本の要所部分に第二の隠蔽手段を施した例の平面図を表す。
以下図面に沿って本発明をわかりやすく説明する。
（実施例１）【００１５】  まず本発明の一番基本的な形態の学習用用紙について説明する。
図１（Ａ）に示すように本実施例の学習用用紙Ｓ１は第１葉片１、第２葉片２及び第３葉片３が折り線４及び５（各折り線は必ずしも表示される必要はなく、ミシン目で形成しても構わない）を介して連接されている。第１葉片１表面には問題欄６が記載されている。また第２葉片２表面の正解欄には解答の見本７及び問題の解説８が記載されている。この第２葉片２の折り線５を除く３周辺には接着剤Ｇが塗布されている。さらに格子状の斜線で示す第３葉片３表面には必要とあれば各種パターン又は網掛けやベタ印刷等が全体又は部分的に施され、折り線５から折り畳んだ場合に対向する正解欄が外部から確認し辛いように設計されている。この第３葉片３の折り線５を除く３周辺にも接着剤Ｇが塗布され、折り線５から折り込むと第２葉片の接着剤Ｇとそれぞれ対応するようになっている。
そして同図（Ｂ）に示すように第３葉片３裏面には解答欄９が記載され、第２葉片２及び第１葉片１裏面には広告や宣伝、各種催し物や試験の日程等一般情報１０が記載されている。勿論白紙のままでも構わない。【００１６】  そして図２（Ａ）及び（Ｂ）に示すように、解答の見本７と問題の解説８等が記載される正解欄が設けられた第２葉片２表面と第３葉片３表面同士が折り合わされて、対向する接着剤Ｇにより剥離不能に封緘される。【００１７】  この学習用用紙Ｓ１の使用方法は、まず第１葉片１に記載される問題欄６から問題を読み取り、その右隣に配置される解答欄９に順次解答を記入する。そして解答終了後に封緘されている第２葉片２表面と第３葉片３表面を開封し折り線５から解答欄９の記載された葉片１を切り離して提出する。
また自習用に使用する場合は、隠蔽されていた第２葉片２表面の正解欄に記載される解答の見本７や問題の解説８を参考に採点を行う。そしてファイリングのために、採点後に開封前の当初の状態に再び折り畳み、図２（Ｂ）に示すように、例えばトムソン刃等で切り抜かれた半円状のスリットからなる爪ｔを持ち上げ、第３葉片３の開封縁辺に引っかけて固定し収容すればよいのである。【００１８】  この学習用用紙Ｓ１は、封緘されている第２葉片２と第３葉片３を開封して解答前に解答を確認しようとすると、一旦剥離された前記各葉片が復元しないためにその行為が明らかになってしまう。そのため隠蔽性と機密性に優れるという大きな特徴を有している。
また、開封後に開封縁辺を固定することができるので、ファイリングの際に開封された葉片が嵩張り収まりが悪くなることがなくコンパクトに収容できる。さらに通常の持ち運びの際にも誤って開いてしまいシワになったり破損することもなくなる。
（実施例２）【００１９】  次に図３及び図４に沿って本発明の学習用用紙の別な態様を説明する。
図３（Ａ）に示すように学習用用紙Ｓ２は、第１葉片２１表面に問題欄６、正解欄が設けられた第２葉片２２と第３葉片２３の各表面に解答の見本７と問題の解説８が、そして第４葉片２４表面に解答欄９がそれぞれ記載されており、各葉片は区切り線２５（必ずしも表示する必要はない）、折り線２６、２７（必ずしも表示する必要はなくミシン目でも構わない）を介して互いに連接されている。そして第２葉片２２と第３葉片２３の周辺に前記実施例と同様に接着剤Ｇが塗布されている。
そして同図（Ｂ）に示すように裏面は白紙状態であるが、一般情報１０や場合によっては解答の見本７や問題の解説欄８等を記載しても構わない。【００２０】  この学習用用紙Ｓ２は図４（Ａ）、（Ｂ）に示すように断面Ｚ字状に折り畳まれ、第２葉片２２と第３葉片２３表面同士が周辺に設けられた接着剤Ｇにより封緘される。なお、第３葉片２３と第４葉片２４の裏面同士も同様に接着剤Ｇにより封緘しても構わず、そのようにすれば第４葉片２４を予め折り線２７で切り離しておくことができると共に、第４葉片２４が他の葉片と一体化しているので全体として１枚の用紙の体裁になるため取扱が極めて至便である。勿論封緘部分に解答の見本欄７や問題の解決欄８等をさらに記載しても構わない。
この学習用用紙の使用方法は折り畳み態様が断面Ｚ字状の他は前記実施例と同様である。最終的に図４（Ｂ）に示すように、半円状のスリットからなる爪ｔを持ち上げ、折り線２７からなる開封縁辺に引っかけて固定する。
なお解答欄９が記載されている第４葉片２４を切り離し提出しても構わず、その時は第３葉片２３の開封縁辺を爪ｔに引っかけておけばコンパクトに収容することができる。
（実施例３）【００２１】  さらに図５及び図６に沿って本発明の学習用用紙の別な態様を説明する。
図５（Ａ）に示すように学習用用紙Ｓ３は、第１葉片３１表面に問題欄６が記載され、正解欄が設けられた第２葉片３２及び第３葉片３３の各表面に解答の見本７と問題の解説８がそれぞれ記載されている。さらに第４葉片３４表面には解答欄９が記載されており、それら各葉片が折り線３５、３６、区切り線３７を介して互いに連接されている。そして第２葉片３２と第３葉片３３の周辺に前記実施例と同様に接着剤Ｇが塗布されている。第１葉片３１は他の葉片のほぼ倍の大きさで、同図（Ｂ）に示すように裏面も同じレイアウトが施されているため葉片３１裏面には解答の見本７’と解答欄９’がそれぞれ対応し記載されている。そして第２葉片３２と第１葉片３１の半分の周辺に前記実施例と同様に接着剤Ｇが塗布されている。【００２２】  この学習用用紙Ｓ３は図６（Ａ）、（Ｂ）に示すように断面Ｚ字状に折り畳まれ、第２葉片３２と第３葉片３３表面同士及び第２葉片３２と第１葉片３１裏面の半分同士が接着剤Ｇにより封緘される。
本実施例は解答欄９が記載される第４葉片３４（若しくは第１葉片３１裏面半分の解答欄９’が記載される部分。）を切り取ることを前提としていない。従って生徒の自習用として使用するものであるが、必要に応じて区切り線３７、３８を切り取り線に変え、最後に切り離して提出するようにしても構わない。
この学習用用紙の使用方法は基本的に前記実施例と同様である。開封後は図６（Ｂ）に示すように、半円状のスリットからなる各爪ｔを持ち上げ、折り線３５、３６からなる各開封縁辺に引っかけて固定する。
（実施例４）【００２３】  続いて図７及び図８に沿って本発明の学習用用紙のさらに別な態様を説明する。
図７（Ａ）に示すように学習用用紙Ｓ４は、第１葉片４１表面に解答欄９’、第２葉片４２表面に問題欄６、正解欄が設けられた第３葉片４３及び第４葉片４４表面に解答の見本７及び問題の解説８がそれぞれ記載されている。そして各々の葉片は折り線４５、４７及び区切り線４６を介して互いに連接されている。第３葉片４３と第４葉片４４の周辺には前記実施例と同様に接着剤Ｇが塗布されている。
第２葉片４２は他の葉片のほぼ倍の大きさで、同図（Ｂ）に示すように裏面も同じレイアウトが施されているため第２葉片４２裏面には問題欄６’の半分と解答の見本７’がそれぞれ対応し記載されている。そして第２葉片４２の半分と第１葉片４１の周辺に前記実施例と同様に接着剤Ｇが塗布されている。【００２４】  そして図８（Ａ）、（Ｂ）に示すように、第１葉片４１裏面と第２葉片４２裏面の半分同士及び第４葉片４４と第３葉片４３の表面同士が接着剤Ｇにより封緘される。
本実施例は解答欄９’及び９が記載される第１葉片４１表面と第４葉片４４裏面を切り取ることを前提としていない。従って生徒の自習用として使用するものであるが、必要に応じて折り線４５、４７を切り取り線に変え、最後に切り離して提出するようにしても構わない。
開封後は図８（Ｂ）に示すように各開封縁辺を各爪ｔに引っかけて固定する。
（実施例５）【００２５】  図９は前記実施例１の学習用用紙Ｓ１を冊子に組み込んだ場合で、問題の量が多い場合（図やイラスト及び表等で多くの面積を必要とする場合等）に有効である。同図（Ａ）は実施例１の学習用用紙Ｓ１を１枚組み込んでいるが、複数（場合によっては全頁に渡って）組み込んでも構わない。
なお、同図（Ｂ）、（Ｃ）に示すように、組み込まれた学習用用紙は、折り畳むことにより全体として一冊の冊子に納めることが可能である。
また本実施例の冊子に組み込まれる学習用用紙は、前記実施例１の形態に限られることはなく、他の実施例に記載される形態やそれを応用した形態の学習用用紙を組み込むことも可能である。【００２６】  なお、本発明は以上の実施例に限定されるものではない。
実施例では接着剤を開封縁辺に沿って帯状に形成する場合を採用しているが、既述の通り各種疑似接着手段に換えても構わない。その場合疑似接着手段を隠蔽する面全面に設けても、または前記接着剤と同様に開封縁辺に沿って例えば帯状に設けても構わない。さらに接着剤を開封縁辺部分に設けると共にその内面側に疑似接着媒体を設けても構わない。
なお、実施例中の仮止め手段は、例えばトムソン刃で打ち抜かれた半円状のスリットからなる爪ｔを捲り上げ、開封縁辺に引っかける方法を採用しているが、このような爪の形状に格段の制限はない。例えば図１０（Ａ）に示すように半円状よりも長めのベロ状であっても構わず、その数も同図（Ｂ）に示すように２個所若しくはそれ以上でも構わない。
また打ち抜きではなく別体で形成した爪等の仮止め手段を所定の位置に貼り付けておいて、実施例と同様に開封縁辺に引っかけて使用しても構わない。【００２７】  本実施例では封緘される対向面に設けられた正解欄に記載される、解答の見本７と問題の解説８が、折り線を境に区分けされて記載されているが、必ずしもその必要はない。すなわち解答の見本や問題の解説等は隠蔽される対向面の何れかの場所に配置されていればよく、さらに一般情報等の他の欄が混在していても構わない。
また解答の見本と問題の解説の両者が必ずしも正解欄に記載される必要もなく、何れか一方だけが記載されていても構わない。
さらに封緘されている２葉片の何れか（場合によっては両方共）の任意の部分を窓状にくり抜いたり、また窓状の部分をくり抜かずに捲るようにしてもよい。
なお、正解欄に記載される解答の見本や問題の解説等を外部から読み取りにくいようにするために網掛け印刷にしたり、また対向する面に施されている模様やパターン等と同様の色のインキを選択することも可能である。
また図１１に示すように例えば正解欄の解答の見本等の要所部分に第二の隠蔽手段（スクラッチ印刷や公知の隠蔽用ラベル等）を施しておけば、使用者が誤って開封しても解答を確認することができなくなる。
【発明の効果】
【００２７】  本発明の学習用用紙は以上のように構成されているので、１枚の用紙に問題欄、正解欄（問題の解説及び解答の見本等）、解答欄等が記載されているにも係わらず、勝手に解答を確認することができないので、優れた隠蔽性と機密性有すると共に開封縁辺を固定できるので、使用後のファイリングの際に開封された葉片が嵩張り収まりが悪くなることがなくコンパクトに収容できる。そして通常の持ち運びの際にも誤って開いてしまいシワになったり破損することもなくなる。
また、前記特徴を利用して、斬新なデザインや使用方法を施すことにより生徒の興味を強く引き付けると共に学習意欲を高め、効果的に学力をアップすることができる。
さらに複数の用紙に分けて各欄が記載されていないので、紛失等の事故も起こらない。
【図面の簡単な説明】
【図１】  （Ａ）及び（Ｂ）は１個所の折返しを有する学習用用紙の表面図と裏面図をそれぞれ表す。
【図２】  （Ａ）及び（Ｂ）は図１の学習用用紙をわかりやすく説明する斜視図と側面図をそれぞれ表す。
【図３】  （Ａ）及び（Ｂ）は断面Ｚ字状に折り畳まれた学習用用紙の表面図を表す。
【図４】  （Ａ）及び（Ｂ）は図３の学習用用紙をわかりやすく説明する斜視図と側面図をそれぞれ表す。
【図５】  （Ａ）及び（Ｂ）は断面Ｚ字状の別な態様の表面図と裏面図をそれぞれ表す。
【図６】  （Ａ）及び（Ｂ）は図５の学習用用紙をわかりやすく説明する斜視図と側面図をそれぞれ表す。
【図７】  （Ａ）及び（Ｂ）は断面Ｚ字状の更に別な態様の学習用用紙の表面図と裏面図をそれぞれ表す。
【図８】  （Ａ）及び（Ｂ）は図７の学習用用紙をわかりやすく説明する斜視図と側面図をそれぞれ表す。
【図９】  （Ａ）、（Ｂ）、（Ｃ）は本発明の学習用用紙を冊子に組み込んだ場合の斜視図と側面図をそれぞれ表す。
【図１０】  （Ａ）、（Ｂ）は本発明の仮止め手段の変形例の斜視図をそれぞれ表す。
【図１１】  正解欄の解答の見本の要所部分に第二の隠蔽手段を施した例の平面図を表す。
【符号の説明】
Ｇ  接着剤
ｔ  爪
Ｓ１、Ｓ２、Ｓ３、Ｓ４  学習用用紙
１、２、３、２１、２２、２３、２４  葉片
３１、３２、３３、３４、４１、４２、４３、４４  葉片
４、５、２６、２７、３５、３６、４５、４７  折り線
２５、３７、３８、４６、４８  区切り線
６、６’  問題欄
７、７’  解答の見本
８、８’  問題の解説
９、９’  解答欄
Ｘ  第二の隠蔽手段
【図１】
2005041196.tif 000003
【図２】
2005041196.tif 000004
【図３】
2005041196.tif 000005
【図４】
2005041196.tif 000006
【図５】
2005041196.tif 000007
【図６】
2005041196.tif 000008
【図７】
2005041196.tif 000009
【図８】
2005041196.tif 000010
【図９】
2005041196.tif 000011
【図１０】
2005041196.tif 000012
【図１１】
2005041196.tif 000013